(57)【要約】      （修正有）【課題】靴にもなり、つっかけにもなり、人の手の指の一本も使わずにして、（人の、）片方づつだけ足を用いて之れを脱いだり、覆いたりできる覆き物を提供する。【解決手段】「スニカルシューズＩＩ（Ｔ．８３０）」に備えつけられた回転式（自在）紐では、人の手の一切を使わずにして、もう片方側づつの足に覆いた「スニカルシューズＩＩ（Ｔ．８３０）」のつま先部位を用いて、（別）片方のサンダルシューズの踵紐を（人の）足の踵位置から、サンダルシューズの踵部位（設置）位置迄下げ降す事が出来る。【選択図】図４
2019217237.tif 000002
【特許請求の範囲】
【請求項１】
本願発明される、「ワンタッチスニカルシューズＩＩ（Ｔ．８３０）」では、靴の踵部位を少し（外側に、）張り出たせて創り、この様に発明される、靴の踵部分の張り出させた出っ張り部分には、本願発明（図面）に観られる様に、上下に動く（自在）回転式、靴踵留め紐が取り付けられており、靴紐を回転させる事で、終日そこに靴踵め紐が（収納）出来る場所にもなっており、この時、「之のシューズ（Ｔ．８３０）」では、サンダルやつっかけ機能を果してはいるものの、之のシューズ（Ｔ．８３０）」を覆こうとする人々では、上部位から人の足と（自）体重をかけて、中空にある回転式靴踵留め紐を、之の「シューズ（Ｔ．８３０）」の靴踵に出っ張らせた（下方にある、）自在回転式靴踵留め紐（収納）位置場所迄踏みつけて降させて、使用させる事が出来る際には、「之のシューズ（Ｔ．８３０）」は、サンダル（若しくはつっかけ）機能付シューズ状態となっているものとなるが、
【請求項２】
又、別に、之の「シューズ（Ｔ．８３０）」をサンダルやつっかけ機能付シューズ以外にして、「靴機能状態」にもなるものにさせて、人の足に脱着させて、使用させようとする際には、やはり、人の手の一切を使わずに、他方の足に覆いた他方側の「シューズ（Ｔ．８３０）」のつま先を使って、別片方に覆かれた之の「シューズ（Ｔ．８３０）」に取り付けられている（自在）回転式靴踵留め紐をつま先で、上下に上げ下げさせて、之れをすり上げたり、すり降したりする事の出来る、新規と進歩を得る、本願発明、「ワンタッチで使用できる、スニカルシューズ（Ｔ．８３０）」
【発明の詳細な説明】
【技術分野】
【０００１】  縦来の技術に於いては、靴、サンダル（つっかけ）類に「回転式の踵留め紐」を一番最初に開発したのは、筆者が最初であったが、之れ等の物では、筆者が特許庁に対して、（補正申請請求しなかったものとして、）却下されたものとして、他者が、「クロ○○ス」の商品名（呼び名）で、商品化している様な物では無く、それ故、
本願発明品等では、当初から観られる様な物とは違って、本件発明品等では、人の手の指の一本も使わずにして、（人の、）片足づつだけを用いて、之れを脱いだり覆いたり出来る覆き物には出来てはいなかったので、締めていたものをもう一工夫を凝らして、靴にも、つっかけにもなり、（人の、）手の指の一切を使わずにして、片足づつだけを用いて、之れを脱いだり覆いたりできる覆き物を発明し、創造するに至っていた。又、之の発明物の表面には、中ムレ防止用の多くの通気孔が多く開けられていた。
【背景技術】
【０００２】  ●カジアルシューズに複数の通気孔を開けたのは、特願２００６−１３７０３６のペタスニックが最初である。
【先行技術文献】
●特願２０１７−２４４４７３号  他  願番不特定に多く先行作品あり、
【発明の概要】
【発明が解決しようとする課題】
【０００３】  コドモの頃より、母親が新しい（運動）靴を買って来てくれると、「ネェ、お前達、靴を覆く時、靴の踵を踏まない様にして、もっと靴を大切に使ってはくれないかい！」と、よく言い聴かせているのを空の耳に聴き流し併、新しい靴を買って来て来れる翌日から、（運動）靴の踵を潰して歩いており、コドモの頃から靴の踵を潰して歩いていると、スリッパの様に、チョイ覆き靴」の様になって歩き易くなる事への癖は、どうにもなおらないでいた事を思い出していた。人の指先を使わずにして、簡易にして、靴にも、サンダルの様な覆き物にもなって使用できるシューズは出来ないか！と考えた。課題が生じた。
【課題を解決する為の手段】
【０００４】  孤児院（養護福祉）や、老人（養護）施設、他、精神、神経課病院等を見学に行った事があったが、そこで長期入院している患者さん等は、個人部室から食堂（等）に行く迄の時には、運動靴を内覆にして覆いているものであったが、食堂に行く時以外（トイレに行ったり、ベッドの周りを歩く際、）その運動靴の踵を潰して、（スリッパ状にして、）之れを覆いて歩き迴っている所を看護婦さんに見咎められて注意されていた。――看護婦さんに見咎められて注意されていた原因（訳）とは、その（長期療養入院）ホーム内の患者さんが、（睡眠薬投与中、）ベッドから起きて歩く際に、自分の覆いている運動靴の（片方の、）スリッパ状になっている踵を寝呆けて踏み付けて、倒れて（ケガをする、）事件が続いたからであった。
――之れを見ていて、ワンタッチにして、（寝呆けていても、）靴やサンダルにして、（すぐに、）変更できて使える覆き物は出来ないか！と考えて、課題の解決策を提供する。
【発明の効果】
【０００５】  従来の技術に於いて、靴、サンダル、（つっかけ）類に回転式の踵留め紐を一番最初に開発し、発明したのは、筆者が最初であったが、之れ等の物は、筆者が、（特許庁宛てに出願審査請求請求しなかった為却下された物を、）として、他者がする、「クロ○○ス」の呼び名で、現在商品化している様な物ではなく、それ故、
之れらの発明品は、当初からのものに於いては、人の手の指の一本も使わずにして、（人の、）片足づつだけを用いて、之れを脱いだり覆いたり出来るものには、出来ていなかったので締めていたものを、もう一工夫を凝らして、靴にもなり、つっかけにもなり、人の手の指の一本も使わずにして、（人の、）片方づつだけ足を用いて之れを脱いだり、覆いたりできる覆き物を発明し、創造し得るに至った。
【図面の簡単な説明】
【０００６】
【図１】  本（願）発明される「ワンタッチスニカルシューズＩＩ（Ｔ．８３０）」の靴の踵部分を少し靴の外側に拡張して造られる物を図示し、
【０００７】
【図２】  筆者の本（願）発明品、「スニカルシューズＩＩ（Ｔ．８３０）」の前身の「スニカルシューズＩ」を表わす物として、現在広く市場で使われているその使用方法に於いては、之れをサンダル、つっかけ、スリッパ用として用いる際には、人の指先を使い併、之れに備え付けられている回転式（自在）紐を（人の）足の甲の上に迄、回転させてもって来て、そこに設置させて用いるものを図示する他、未だに未熟品である「スニカルシューズＩ」の回転式（自在）紐では、本願発明品、スニカルシューズＩＩ（Ｔ．８３０）に観られる様な、（新）発明品の靴紐の様に人の手の指の一切を使わずにして、之れをサンダルシューズの踵下迄下げ降したり、すり上げたりする事が出来ないものである事を図示。
【０００８】
【図３】  本（願）発明品、「スニカルシューズＩＩ（Ｔ．８３０）」に備え付けられた回転式（自在）紐では、人の手の指先の一切を使わずにして、もう片方側づつの足に覆いた「スニカルシューズＩＩ（Ｔ．８３０）」のつま先部位を用いて、（別）片方のサンダルシューズの踵紐を（人の）足の踵位置から、サンダルシューズの踵部位位置、（設置場所）迄、上げたり、下げ降したりする事の出来る事を図示。
【０００９】
【図４】  本（願）発明品、「スニカルシューズＩＩ（Ｔ．８３０）」に備えつけられた回転式（自在）紐では、人の手の一切を使わずにして、もう片方側づつの足に覆いた「スニカルシューズＩＩ（Ｔ．８３０）」のつま先部位を用いて、（別）片方のサンダルシューズの踵紐を（人の）足の踵位置から、サンダルシューズの踵部位（設置）位置迄下げ降す事が出来る事を図示。
【００１０】
【図５】  本（願）発明品、「スニカルシューズＩＩ（Ｔ．８３０）」に備えつけられた回転式（自在）紐では、人の手の一切を使わずにして、もう片方側づつの足に覆いた「スニカルシューズＩＩ（Ｔ．８３０）」のつま先部位を用いて、（別）片方のサンダルシューズの踵紐を（サンダルシューズの）足の踵位置から、（人の）足の踵部位迄すり上げる事が出来る事を図示。
【発明を実施する為の形態】
【００１１】  本願発明される「スニカルシューズＩＩ（Ｔ．８３０）」の之れを人が覆こうとする時には、通常、人の足の踵位置（の中空）に設定されている、回転式（自在）紐には、（人の）体重がのしかかるものとなる時には、之の回転式（自在）紐はひとりでに、サンダルシューズＩＩの踵（設置場所）迄沈むものとなる機能がワンタッチ仕掛けで働く際には、之れ等のものでは、靴状態から完全なつっかけ、サンダル状態のものとなる他、
【実施例】
【００１２】  この様にして、スリッパ、つっかけ、サンダル状態で使用している最中の本（願）発明「スニカルシューズＩＩ（Ｔ．８３０）」を靴状態に変更して用いようとする際には、（人の、）手の指等の一切を使わなくとも、もう片方側づつの足に覆いた「スニカルシューズＩＩ（Ｔ．８３０）」のつま先部位を用いて、（別）片方づつのサンダルシューズの踵紐を（サンダルシューズの）足の踵位置から（人の）足の踵部位位置迄すり上げて使用する事が出来たり、又、之をして、反対にすり下げて使用する事が出来た。
【産業上利用の可能性】
【００１３】  本（願）発明品に於いては、縦来の技術に於いて、靴、サンダル（つっかけ）類に「回転式の踵留め紐」を用いる事への開発したのは、筆者が（スニカルシューズＩとして、）最初であったが、筆者が特許庁に対して、（手続補正申請請求をしなかったものとして、）却下されたものとして、現在他者が、之れに「クロ○○○」の商品名を付けて、商品化し、確実にその売り上げを延ばしている所に観られる様な物ではなく、本願発明品「ワンタッチスニカルシューズＩＩ（Ｔ．８３０）」では、「スニカルシューズＩによる旧式技術に観られる様な物では無く、その訳は、スニカルシューズＩをして、回転式（自在）紐等を用いて、之れを靴機能をもつ物に変更させたり、又は、之れをサンダル機能をもつ物に変更させる際には、一度はスニカルシューズＩを脱いで回転式の踵留め紐を半回転させなければ出来なかったものを、之れに新規と進歩を得させるべくをして、「ワンタッチサンダルシューズＩＩ（Ｔ．８３０）」に持たせられる技術力を導入させて用いた場合、人がして、之の靴を足に設置させたり、脱いだり覆いたりしようとする時、人の手の指の一本も使わなくても、之れを踏み付けただけで、人の体重で、「回転式の踵留め紐」は「ワンタッチスニカルシューズＩＩ（Ｔ．８３０）」の踵下（以下）に沈む機能が働らく他、之れを人の足の踵部位迄すり上げる事が出来たり、（人の）足の踵位置から、「ワンタッチスニカルシューズＩＩ（Ｔ．８３０）」の踵部位位置以下迄下げ降したりする事が出来るものとなる時、「スニカルシューズＩ」によって観られる旧式（踵留め回転紐）技術力は廃れ、本願発明される技術力が台頭する事が予測されて考えられる際には、産業上の利用の可能性は極めて大きいものとなった。
【符号の説明】
【００１４】１．本願発明される「ワンタッチスニカルシューズＩＩ（Ｔ．８３０）」の靴の踵部分を（少し、）靴の外側に拡張して創られる物を図示。
２．本願発明される「ワンタッチスニカルシューズＩＩ（Ｔ．８３０）」をつっかけやスリッパ、サンダル類として使用する際には、（上下）回転式靴
2019217237.tif 000003
チスニカルシューズＩＩ（Ｔ．８３０）」に備え付けられている、（上下）回転する踵紐を「靴の踵位置」から「人の足の踵位置」迄すり上げる事が出来る事を図示。４．筆者の本願発明品の前身の旧式の発明品、「スニカルシューズＩ」を表わす物として、現在他者によってより広く市場に於いて使われている、使用方法の例に於いて、之れをサンダル、つっかけ、スリッパ用として用いる際には、（自在）回転式踵紐を（人の）足の甲の上の位置迄もって来て、そこに設置して用いられる事を図示されるものと、５．之れを靴（機能）用品のものとして用いる際には、（自在）回転式靴紐では、（人の足の）踵位置部分迄にしか持って来る事が出来ない事が図示される  ６．ワンタッチスニカルシューズＩＩ（Ｔ．８３０）の靴の踵紐の上下の上げ降しを楽にさせるべく突起物。
【図１】
2019217237.tif 000004
【図２】
2019217237.tif 000005
【図３】
2019217237.tif 000006
【図４】
2019217237.tif 000007
【図５】
2019217237.tif 000008